【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
ユーザがドキュメントに対する共同作業を開始することを可能にするための方法であって、
電子配信のために前記ユーザから、１または複数の受け手を特定する受け手データと１または複数の添付ドキュメントとを含むメッセージを受け入れること、
共同作業サーバに要求を送信して、前記１または複数の受け手を含む共同作業者による前記１または複数の添付ドキュメントに対する共同作業を開始すること、および、
前記メッセージを前記１または複数の受け手に送信すること
を備えたことを特徴とする方法。
【請求項２】
前記共同作業者は、前記ユーザをさらに含むことを特徴とする請求項１に記載の方法。
【請求項３】
前記共同作業サーバの識別を含む指示を前記ユーザから受け入れることをさらに備えたことを特徴とする請求項１に記載の方法。
【請求項４】
前記共同作業サーバの識別を含む指示を前記ユーザから受け入れることは、利用可能な共同作業サーバ群のリストからの前記共同作業サーバの選択を受け入れることを含むことを特徴とする請求項３に記載の方法。
【請求項５】
前記利用可能な共同作業サーバ群のリストは、前記１または複数の受け手がアクセス可能な共同作業サーバ群を含むことを特徴とする請求項４に記載の方法。
【請求項６】
前記利用可能な共同作業サーバ群のリストは、共同作業を確立するために前記ユーザが最後に使用した共同作業サーバ群を含むことを特徴とする請求項４に記載の方法。
【請求項７】
前記利用可能な共同作業サーバ群のリストは、共同作業を確立するために前記ユーザが使用可能な共同作業サーバ群を含むことを特徴とする請求項４に記載の方法。
【請求項８】
前記利用可能な共同作業サーバ群のリストは、共同作業のために前記ユーザが最後に使用した共同作業サーバ群を含むことを特徴とする請求項４に記載の方法。
【請求項９】
前記共同作業サーバの識別を含む指示を前記ユーザから受け入れることは、ユーザによって入力された共同作業サーバを指定するユーザ入力を受け入れることを含むことを特徴とする請求項３に記載の方法。
【請求項１０】
電子配信のための前記メッセージは、メッセージデータをさらに含むことを特徴とする請求項１に記載の方法。
【請求項１１】
前記メッセージを送信することは、前記共同作業に関する情報を前記メッセージの中に含めることを備えたことを特徴とする請求項１に記載の方法。
【請求項１２】
前記共同作業に関する前記情報は、共同作業Ｗｅｂサイトに対するハイパーリンクを含むことを特徴とする請求項１１に記載の方法。
【請求項１３】
前記共同作業者に関する前記受け手の情報は、共同作業Ｗｅｂサイトアクセス制御リストに追加されることを特徴とする請求項１に記載の方法。
【請求項１４】
前記共同作業サーバは、共同作業者による共同作業を管理する共同作業Ｗｅｂサイトを含むことを特徴とする請求項１に記載の方法。
【請求項１５】
前記共同作業Ｗｅｂサイトは、共同作業者の間で討論を継続させるための討論機能、共同作業カレンダを保持するためのカレンダ機能、および前記共同作業に関するタスクリストを含むグループから選択された少なくとも１つを含むことを特徴とする請求項１４に記載の方法。
【請求項１６】
電子配信のための前記メッセージは、電子メールメッセージであり、前記メッセージを送信することは、配信のために電子メールサーバに前記メッセージを送信することを含むことを特徴とする請求項１に記載の方法。
【請求項１７】
電子配信のための前記メッセージは、スケジュール設定要求であることを特徴とする請求項１に記載の方法。
【請求項１８】
電子配信のための前記メッセージは、タスクであることを特徴とする請求項１に記載の方法。
【請求項１９】
前記ユーザは、前記共同作業に関する共同作業者の特権を調整することができることを特徴とする請求項１に記載の方法。
【請求項２０】
各共同作業者に関して、前記共同作業に関する特権レベルが、前記メッセージのヘッダ内に前記共同作業者が含まれることによって定義されることを特徴とする請求項１に記載の方法。
【請求項２１】
宛先ヘッダ内の各共同作業者に関して、前記共同作業に関する読取り特権および書込み特権が、その共同作業者に付与されることを特徴とする請求項２０に記載の方法。
【請求項２２】
ｃｃヘッダ内の各共同作業者に関して、前記共同作業に関する読取り専用特権が、その共同作業者に付与されることを特徴とする請求項２０に記載の方法。
【請求項２３】
ｂｃｃヘッダ内の各共同作業者に関して、前記共同作業に関する特権が、その共同作業者にまったく付与されないことを特徴とする請求項２０に記載の方法。
【請求項２４】
前記１または複数の受け手に前記メッセージを送信することは、前記共同作業に関するメタデータを含めるように前記１または複数の添付ドキュメントの少なくとも１つを変更することを含むことを特徴とする請求項１に記載の方法。
【請求項２５】
新規の共同作業者を前記共同作業に追加することが、前記メッセージを前記新規の共同作業者に転送することによって行われることを特徴とする請求項１に記載の方法。
【請求項２６】
コンピュータにより実行されると請求項１に記載の方法をコンピュータに実行させる、複数のコンピュータ実行可能命令を記憶していることを特徴とするコンピュータ読取り可能記録媒体。
【請求項２７】
ユーザがドキュメントに対する共同作業を開始することを可能にするためのシステムであって、
電子配信のために前記ユーザから、１または複数の受け手を特定する受け手データと１または複数の添付ドキュメントとを含むメッセージを受け入れるための電子メッセージ交換アプリケーションと、
共同作業サーバに要求を送信して、前記１または複数の受け手を含む共同作業者による前記１または複数の添付ドキュメントに対する共同作業を開始する共同作業要求モジュールと、
前記メッセージを前記１または複数の受け手に送信する電子メッセージサーバと
を備えたことを特徴とするシステム。
【請求項２８】
前記共同作業者は、前記ユーザをさらに含むことを特徴とする請求項２７に記載のシステム。
【請求項２９】
電子配信のための前記メッセージは、メッセージデータをさらに含むことを特徴とする請求項２７に記載のシステム。
【請求項３０】
前記メッセージは、前記共同作業に関する情報を含むことを特徴とする請求項２７に記載のシステム。
【請求項３１】
前記メッセージは、共同作業Ｗｅｂサイトに対するハイパーリンクを含むことを特徴とする請求項３０に記載のシステム。
【請求項３２】
前記共同作業サーバは、共同作業者による共同作業を管理する共同作業Ｗｅｂサイトを含むことを特徴とする請求項２７に記載のシステム。
【請求項３３】
前記電子メッセージ交換アプリケーションは、電子メールアプリケーションであることを特徴とする請求項２７に記載のシステム。
【請求項３４】
前記電子メッセージ交換アプリケーションは、スケジュール設定アプリケーションであることを特徴とする請求項２７に記載のシステム。
【請求項３５】
前記１または複数の受け手に送信される前記メッセージは、前記共同作業に関するメタデータを含む前記１または複数の添付ドキュメントの少なくとも１つの変更されたバージョンを含むことを特徴とする請求項２７に記載のシステム。
【請求項３６】
前記電子メッセージ交換アプリケーションは、前記電子メッセージを新規の共同作業者に転送するための転送モジュールをさらに含み、前記共同作業要求モジュールは、前記共同作業サーバに要求を送信して、前記共同作業に前記新規の共同作業者を追加する新規共同作業者モジュールをさらに含むことを特徴とする請求項２７に記載のシステム。
【請求項３７】
共同作業を開始するための方法であって、        
電子配信のために１または複数の受け手を特定する受け手データと１または複数の添付ドキュメントとを含むメッセージを生成すること、
前記１または複数の添付ドキュメントに対する共同作業を開始するために共同作業サーバを始動すること、および、
前記メッセージを前記１または複数の受け手に送信すること
を備えたことを特徴とする方法。
【請求項３８】
前記始動することは、前記受け手データによって特定された１または複数の受け手に共同作業者特権を付与することを含むことを特徴とする請求項３７に記載の方法。
【請求項３９】
前記メッセージは、送信元データを含み、前記始動することは、前記送信元データによって特定された前記送信元に共同作業者特権を付与することをさらに含むことを特徴とする請求項３８に記載の方法。
【請求項４０】
前記共同作業は、共同作業者による共同作業を管理する共同作業Ｗｅｂサイトを含むことを特徴とする請求項３７に記載の方法。
【請求項４１】
前記共同作業Ｗｅｂサイトは、共同作業者の間で討論を継続させるための討論機能、共同作業カレンダを保持するためのカレンダ機能、および前記共同作業に関するタスクリストを含むグループから選択された少なくとも１つを含むことを特徴とする請求項４０に記載の方法。
【請求項４２】
前記メッセージを前記１または複数の受け手に送信することは、前記共同作業に関するメタデータを含めるように前記１または複数の添付ドキュメントの少なくとも１つを変更することを含むことを特徴とする請求項４０に記載の方法。
【請求項４３】
コンピュータにより実行されると請求項３７に記載の方法をコンピュータに実行させる、複数のコンピュータ実行可能命令を記憶していることを特徴とするコンピュータ読取り可能記録媒体。